(57)【要約】【課題】デュアルコネクティビティ（ＤＣ）停止後の通信形態をユーザの選択により決定する。【解決手段】通信装置は、マスタ基地局とセカンダリ基地局とを利用してデータ通信を行っている際に該セカンダリ基地局との通信を停止し、該セカンダリ基地局との通信を停止する場合に該データ通信を継続するか否かをユーザに対して確認し、該データ通信を継続しないことが確認された場合、該マスタ基地局との通信を停止する。【選択図】図３
2020068464.tif 000002
【特許請求の範囲】
【請求項１】
通信装置であって、
マスタ基地局とセカンダリ基地局とを利用してデータ通信を行う通信手段と、
前記通信手段が前記マスタ基地局と前記セカンダリ基地局とを利用して前記データ通信を行っている際に前記セカンダリ基地局との通信を停止する第１の停止手段と、
前記第１の停止手段により前記セカンダリ基地局との通信を停止する場合に前記データ通信を継続するか否かを、ユーザに対して確認する確認手段と、
前記確認手段により前記データ通信を継続しないことが確認された場合、前記マスタ基地局との通信を停止する第２の停止手段と、
を有することを特徴とする通信装置。
【請求項２】
前記マスタ基地局との通信の継続が必要か否かを判定する判定手段を更に有し、
前記第１の停止手段により前記セカンダリ基地局との通信を停止する際に、前記判定手段により前記マスタ基地局との通信の継続が必要でないと判定された場合、前記確認手段は、ユーザに対して、前記データ通信を継続するか否かを確認することを特徴とする請求項１に記載の通信装置。
【請求項３】
前記マスタ基地局との通信の継続が必要か否かを判定する判定手段を更に有し、
前記確認手段により前記データ通信を継続しないことが確認された場合に、前記第１の停止手段は前記セカンダリ基地局との通信を停止し、
前記第１の停止手段により前記セカンダリ基地局との通信が停止された後、前記判定手段により前記マスタ基地局との通信の継続が必要でないと判定された場合、前記第２の停止手段は、前記マスタ基地局との通信を停止することを特徴とする請求項１に記載の通信装置。
【請求項４】
前記判定手段は、前記通信装置がセルラー網通信を必要とするサービスを実行中でない場合に、前記マスタ基地局との通信の継続が必要でないと判定することを特徴とする請求項２または３に記載の通信装置。
【請求項５】
前記判定手段は、前記データ通信に掛かる残り時間が所定時間より長い場合に、前記マスタ基地局との通信の継続は必要でないと判定することを特徴とする請求項２に記載の通信装置。
【請求項６】
前記第１の停止手段により前記セカンダリ基地局との通信が停止された場合に、前記セカンダリ基地局との通信の停止を前記マスタ基地局に通知する通知手段を更に有し、
前記判定手段は、前記通知手段による通知の後に、前記マスタ基地局との通信の継続が必要か否かを判定することを特徴とする請求項２から５のいずれか１項に記載の通信装置。
【請求項７】
前記確認手段は、表示部に所定の画面を表示し、ユーザに前記データ通信を継続するか否かを選択させることにより、前記データ通信を継続するか否かを確認することを特徴とする請求項１から６のいずれか１項に記載の通信装置。
【請求項８】
前記マスタ基地局および前記セカンダリ基地局は、３ＧＰＰ規格に準拠した通信を行う基地局であることを特徴とする請求項１から７のいずれか１項に記載の通信装置。
【請求項９】
前記通信装置は撮像機能を有するデジタルカメラであり、前記通信手段は、前記撮像機能により得られた撮像データを通信することを特徴とする請求項１から８のいずれか１項に記載の通信装置。
【請求項１０】
通信装置の制御方法であって、
マスタ基地局とセカンダリ基地局とを利用してデータ通信を行う通信工程と、
前記通信工程において前記マスタ基地局と前記セカンダリ基地局とを利用して前記データ通信を行っている際に前記セカンダリ基地局との通信を停止する第１の停止工程と、
前記第１の停止工程において前記セカンダリ基地局との通信を停止する場合に前記データ通信を継続するか否かを、ユーザに対して確認する確認工程と、
前記確認工程において前記データ通信を継続しないことが確認された場合、前記マスタ基地局との通信を停止する第２の停止工程と、
を有することを特徴とする通信装置の制御方法。
【請求項１１】
コンピュータを、請求項１から９のいずれか１項に記載の通信装置として機能させるためのプログラム。
【発明の詳細な説明】
【技術分野】
【０００１】
本発明は、通信装置、通信装置の制御方法、およびプログラムに関する。
【背景技術】
【０００２】
３ＧＰＰ（３ｒｄ Ｇｅｎｅｒａｔｉｏｎ Ｐａｒｔｎｅｒｓｈｉｐ Ｐｒｏｊｅｃｔ）Ｒｅｌｅａｓｅ  １２（Ｒｅｌ−１２）仕様では、複数の基地局と同時に通信するデュアルコネクティビティ（ＤＣ）が規定されている。デュアルコネクティビティでは、ユーザ装置（ＵＥ）は、複数の基地局が提供するコンポーネントキャリア（ＣＣ）を用いて同時送信することで、ユーザースループットを向上させることができる（特許文献１）。具体的には、ＵＥは、１つのＥＰＳ（Ｅｖｏｌｖｅｄ Ｐａｃｋｅｔ Ｓｙｓｔｅｍ）ベアラ又はパケットシーケンスを分割し、分割した各パケットシーケンスを複数の基地局が提供するＣＣへ同時送信する。より詳細には、ＵＥは、分割したパケットシーケンスをマスタノード（ＭＮ）としてのマスタ基地局と、セカンダリノード（ＳＮ）としてのセカンダリ基地局へ送信する。マスタ基地局またはセカンダリ基地局は、パケットを受信後、自身が受信したパケットシーケンスと、他方の基地局から受信したパケットシーケンスとをリオーダリングすることにより、ＵＥからのパケットシーケンスを再構成する。マスタ基地局またはセカンダリ基地局は、パケットシーケンスの再構成後、再構成したパケットシーケンスをコアノード（ＣＮ）に転送する。
【０００３】
また、現在３ＧＰＰにて策定が進んでいる次世代通信規格である５Ｇにおいても、無線方式が異なる５ＧとＬＴＥ（Ｌｏｎｇ  Ｔｅｒｍ  Ｅｖｏｌｕｔｉｏｎ）が連携するノンスタンドアローンモードにてＤＣが利用できるよう規定されている。これにより、ＵＥはＬＴＥ通信と５Ｇ通信を同時に実施することが可能となり、ユーザースループットが向上する。
【先行技術文献】
【特許文献】
【０００４】
【特許文献１】特開２０１６−１２７３８３号公報
【発明の概要】
【発明が解決しようとする課題】
【０００５】
上記のように、ＵＥがＬＴＥ通信と５Ｇ通信とを同時に実施する場合、ＤＣにより性能向上が期待できる一方で、複数方式のための通信回路を同時に使用してデータ通信することによる消費電力の増大が予想される。例えば、ＵＥとしてのデジタルカメラがＬＴＥ通信と５Ｇ通信とを同時に実施して撮影画像をサーバへアップロードする場合、ＬＴＥ通信のみを利用した場合と比べて早期にバッテリー切れを起こす恐れがある。すなわち、当該デジタルカメラが常にＤＣをアクティベートした状態でいると、早期にバッテリー切れを起こし得る。これにより、当該デジタルカメラの主要機能である撮像機能が利用できなくなるため、ユーザの使い勝手が悪化する。
【０００６】
このような場合、デジタルカメラは通信を維持しつつ消費電力を低減するために、ＤＣを停止し、ＬＴＥ通信のみを継続することが考えられる。しかしながら、ＬＴＥ通信におけるスループットは５Ｇ通信におけるスループットの約十分の一程度となるため、ＬＴＥ通信のみではデータ通信の完了までに多大な時間が掛かることが予想される。このような状況で、デジタルカメラのユーザは、自身の意思でデータ通信を終了させることができず、使い勝手が悪いものとなっていた。なお、撮影画像をダウンロードする場合にも同様な問題が起こり得る。
【０００７】
本発明は、上記課題に鑑みてなされたものであり、デュアルコネクティビティ（ＤＣ）停止後の通信形態をユーザの選択により決定することを目的とする。
【課題を解決するための手段】
【０００８】
上記目的を達成するための一手段として、本発明の通信装置は以下の構成を備える。すなわち、通信装置であって、マスタ基地局とセカンダリ基地局とを利用してデータ通信を行う通信手段と、前記通信手段が前記マスタ基地局と前記セカンダリ基地局とを利用して前記データ通信を行っている際に前記セカンダリ基地局との通信を停止する第１の停止手段と、前記第１の停止手段により前記セカンダリ基地局との通信を停止する場合に前記データ通信を継続するか否かを、ユーザに対して確認する確認手段と、前記確認手段により前記データ通信を継続しないことが確認された場合、前記マスタ基地局との通信を停止する第２の停止手段と、を有する。
【発明の効果】
【０００９】
本発明によれば、ＤＣ停止後の通信形態をユーザの選択により決定することが可能となり、ユーザの使い勝手を従来よりも向上することが可能となる。
【図面の簡単な説明】
【００１０】
【図１】実施形態におけるデジタルカメラのハードウェア構成の一例を示す図。
【図２】実施形態におけるデジタルカメラソフトウェア機能構成の一例を示す図。
【図３】実施形態におけるネットワーク構成の一例を示す図。
【図４】第１の実施形態におけるＤＣ停止時の処理の動作フロー図。
【図５】第１の実施形態における撮像データ転送を継続するか否かを確認するための画面の例を示す図。
【図６】第１の実施形態における撮像データ転送を継続するか否かを確認するための画面の別の例を示す図。
【図７】第１の実施形態におけるデジタルカメラとＬＴＥ基地局の動作シーケンス図。
【図８】第２の実施形態におけるＤＣ停止時の処理の動作フロー図。
【図９】第２の実施形態における撮像データ転送を継続するか否かを確認するための画面の別の例を示す図。
【図１０】第２の実施形態におけるデジタルカメラとＬＴＥ基地局の動作シーケンス図。
【発明を実施するための形態】
【００１１】
以下、添付の図面を参照して、本発明をその実施形態の一例に基づいて詳細に説明する。なお、以下の実施形態において示す構成は一例に過ぎず、本発明は図示された構成に限定されるものではない。
【００１２】
［第１の実施形態］
（ネットワーク構成）
本実施形態のネットワーク構成の一例を図３に示す。図３に示すネットワーク構成は、デジタルカメラ３０１、ＬＴＥ基地局３０２、および５Ｇ基地局３０３から構成される。ＬＴＥ基地局３０２は、３ＧＰＰ規格に準拠するＬＴＥ通信方式に従う通信を行うことが可能であり、５Ｇ基地局３０３は、３ＧＰＰ規格に準拠する５Ｇ通信方式に従う通信を行うことが可能である。ＵＥであるデジタルカメラ３０１は、ＬＴＥ基地局３０２と５Ｇ基地局３０３それぞれのセル内（通信可能な圏内）に位置し、これらの基地局と同時に通信するデュアルコネクティビティ（ＤＣ）能力（Ｃａｐａｂｉｌｉｔｙ）をサポートする。本実施形態では、デジタルカメラ３０１は、コアネットワーク３０４に接続されたサーバなどのネットワーク装置（不図示）へ撮像データをアップロードするために、ＤＣを利用してＬＴＥ基地局３０２と５Ｇ基地局３０３へ撮像データを送信する。ＬＴＥ基地局３０２と５Ｇ基地局３０３は、デジタルカメラ３０１から受信した撮像データを、コアネットワーク３０４に接続されたネットワーク装置（不図示）へ送信する。
【００１３】
本実施形態では、ＬＴＥ基地局３０２はマスタ基地局（ＭＮ）として機能し、５Ｇ基地局３０３はセカンダリ基地局（ＳＮ）として機能するものとする。ＤＣの通信では、マスタ基地局であるＬＴＥ基地局３０２が、デジタルカメラ３０１と、ＬＴＥ基地局３０２および５Ｇ基地局３０３との間の同時通信を制御すると共に、上位のコアネットワーク３０４との間の通信を制御する。
【００１４】
（デジタルカメラの構成）
図１に、本実施形態におけるデジタルカメラ３０１のハードウェア構成の一例を示す。デジタルカメラは、そのハードウェア構成の一例として、制御部１０１、記憶部１０２、無線通信部１０３、表示部１０４、アンテナ制御部１０５、アンテナ１０６、入力部１０７、および撮像部１０８を有する。制御部１０１は、記憶部１０２に記憶される制御プログラムを実行することにより、デジタルカメラ３０１全体を制御する。記憶部１０２は、制御部１０１が実行する制御プログラムと、撮像データや通信パラメータや認証情報等の各種情報を記憶する。当該通信パラメータや認証情報は、ＬＴＥ基地局３０２や５Ｇ基地局３０３との接続の際に利用され得る。後述するデジタルカメラ３０１の各種動作は、記憶部１０２に記憶された制御プログラムを制御部１０１が実行することにより行われ得る。無線通信部１０３は、ＬＴＥや５Ｇ等によるセルラー網通信、またはＷｉ−Ｆｉ等による無線通信を行う。表示部１０４は、ＬＣＤやＬＥＤのように視覚で認知可能な情報の出力、あるいはスピーカなどの音出力が可能な機能を有し、各種表示を行う。アンテナ制御部１０５は、無線通信を行うためにアンテナ１０６を制御する。入力部１０７は、デジタルカメラ３０１を操作するための操作機能を有し、ユーザによる各種入力／操作等を受け付ける。なお、入力部１０７と表示部１０４は、組み合わせて共に機能することによりユーザインタフェース（ＵＩ）として構成されてもよい。撮像部１０８は撮像機能を有して撮像処理を行い、撮像データを生成する。
【００１５】
図２に、本実施形態におけるデジタルカメラ３０１のソフトウェア機能構成の一例を示す。デジタルカメラは、そのソフトウェア機能構成の一例として、送信部２０１、受信部２０２、接続制御部２０３、判定部２０４、表示制御部２０５、およびデータ転送制御部２０６を有する。
【００１６】
送信部２０１と受信部２０２はそれぞれ、無線通信部１０３を介して、対向装置へ信号（例えば各種メッセージ／情報や撮像データ）を送信し、信号（例えば各種メッセージ／情報）を受信する。接続制御部２０３は、ＬＴＥ基地局３０２や５Ｇ基地局３０３との接続に関する制御および管理を、送信部２０１と受信部２０２による所定の信号の送受信を介して行う。判定部２０４は、ＬＴＥ基地局３０２との通信が継続している場合に、所定の条件に基づいて、当該通信の維持が必要か否かを判定する処理である、通信維持判定処理を実施する。表示制御部２０５は、表示部１０４への表示に関する制御を行う。また、表示部１０４が入力部１０７とＵＩとして共に機能する場合、表示制御部２０５は、当該ＵＩに対する制御を行ってもよい。データ転送制御部２０６は、記憶部１０２に格納されている撮像データのデータ通信（データ転送）の制御および管理を行う。なお、以下の説明において、データはデータファイルとして扱われてもよい。
【００１７】
ここで、判定部２０４による通信維持判定処理の例を説明する。１つの例として、判定部２０４は、デジタルカメラ３０１がセルラー網通信が必要と定められているか否かを確認し得る。具体例としては、判定部２０４は、制御部１０１がセルラー網通信を必要とするアプリケーション（サービス）を実行しているか否かを確認し得る。このようなアプリケーションには、例えば、セルラー網通信を介してデジタルカメラ３０１を遠隔操作するためのアプリケーションが含まれる。この場合、判定部２０４は、制御部１０１が当該アプリケーション（サービス）を実行中である場合に、ＬＴＥ基地局３０２との通信の継続が必要と判定することができる。すなわち、判定部２０４は、制御部１０１が当該アプリケーション（サービス）を実行中でない場合に、ＬＴＥ基地局３０２との通信の継続は必要でない判定することができる。また、別の例として、判定部２０４は、データ転送制御部２０６の制御により撮像データの転送が行われているときに、撮像データの転送に掛かる残り時間が所定時間（所定値）以下か否かを確認し得る。この場合、判定部２０４は、当該残り時間が当該所定時間以下の場合に、ＬＴＥ基地局３０２との通信の継続が必要と判定し、それ以外の場合は、ＬＴＥ基地局３０２との通信の継続が必要でないと判定することができる。当該残り時間は、データ転送制御部２０６により、転送すべき撮像データの残りの量と、ＬＴＥ基地局３０２との通信におけるこれまでの平均スループットにより、計算され得る。
【００１８】
（処理の流れ）
続いて、図４を参照して、本実施形態におけるデジタルカメラ３０１の動作について説明する。図４は、本実施形態におけるＤＣ停止時の処理のフローチャートである。図４に示す処理は、デジタルカメラ３０１がＤＣ通信を実行して撮像データを転送している場合に、制御部１０１がＤＣ通信を停止すると決定したことを受けて開始され得る。当該ＤＣ通信停止の決定は、例えば、ＤＣ通信中に、制御部１０１がデジタルカメラ３０１のバッテリーの残量が所定の値より少なくなったことを検知したことを受けて行われ得る。また、制御部１０１が撮像データ転送のアプリケーションを実行している場合、実行中の当該アプリケーションのプログラムにおける適時のタイミングで、ＤＣ通信停止を決定してもよい。また、入力部１０７を介したユーザの指示により、制御部１０１はＤＣ通信停止を決定してもよい。
【００１９】
まず、Ｓ４０１において、接続制御部２０３は、５Ｇ基地局３０３（ＳＮ）との５Ｇ通信を停止するための処理を行う。このとき、接続制御部２０３は、デジタルカメラ３０１の状態を制御することができる。例えば、接続制御部２０３は、デジタルカメラ３０１の状態を、５Ｇ  ＵＥ状態としての待機状態を意味するＲＲＣ  Ｉｄｌｅ状態へ遷移させてもよい。また、接続制御部２０３は、デジタルカメラ３０１の状態を、５Ｇ  ＵＥ状態としての待機と接続の中間状態を意味するＲＲＣ  Ｉｎａｃｔｉｖｅ状態へ遷移させてもよい。また、接続制御部２０３は、デジタルカメラ３０１における５Ｇ通信機能を完全に停止することにより、デジタルカメラ３０１の状態を、５Ｇ  ＵＥとしての状態を持たない状態へ遷移させてもよい。
【００２０】
接続制御部２０３が５Ｇ基地局３０３との５Ｇ通信を停止後、送信部２０１は、ＬＴＥ基地局（ＭＮ）に対して５Ｇ基地局３０３との５Ｇ通信を停止した旨を通知する（Ｓ４０２）。ここで、送信部２０１は例えば、ＬＴＥ基地局３０２に対して、リンク障害情報（Ｌｉｎｋ  Ｆａｉｌｕｒｅ  Ｉｎｆｏｒｍａｔｉｏｎ）メッセージを送信してもよいし、その他、ＬＴＥ基地局３０２との通信停止を示すメッセージを送信してもよい。
【００２１】
続いてＳ４０３において、判定部２０４は、通信維持判定処理を実施し、ＬＴＥ基地局３０２との通信（ＭＮとの通信）の維持が必要か否かを判定する。通信維持判定処理は、上記に説明した通りである。ＬＴＥ基地局３０２との通信維持が必要と判定された場合（Ｓ４０４でＹｅｓ）、接続制御部２０３はＬＴＥ基地局３０２との通信を維持したまま、処理を終了する。一方、ＬＴＥ基地局３０２との通信維持が必要でないと判定された場合（Ｓ４０４でＮｏ）、処理はＳ４０５へ進む。Ｓ４０５では、表示制御部２０５が、表示部１０４に、撮像データ転送を継続するか否かを確認するための画面を表示し、ユーザに対して撮像データ転送を継続するか否かを確認する。
【００２２】
図５と図６に、撮像データ転送を継続するか否かを確認するための画面の例を示す。図５では、「ＬＴＥ通信によるデータ転送を継続しますか？」という文を含む画面を表示することにより、ユーザに対して撮像データを継続するか否かが確認される。また、図６では、データ転送制御部２０６が上述した手法等により計算した、撮像データの転送に掛かる残り時間も含む画面を表示することにより、ユーザに対して撮像データを継続するか否かが確認される。いずれの図の画面の例においても、入力部１０７を介してユーザにより「Ｙｅｓ」が選択された場合は、接続制御部２０３はＬＴＥ基地局３０２との通信を維持したまま、処理を終了する。一方、「Ｎｏ」が選択された場合は、データ転送制御部２０６は撮像データの転送を終了し、接続制御部２０３はＬＴＥ基地局３０２とのＬＴＥ通信（ＭＮとの通信）を停止して（Ｓ４０７）、処理を終了する。
【００２３】
Ｓ４０５のＬＴＥ通信の停止後、接続制御部２０３は、デジタルカメラ３０１の状態を制御することができる。例えば、接続制御部２０３は、デジタルカメラ３０１の状態を、ＬＴＥ  ＵＥ状態として待機状態を意味するＲＲＣ  Ｉｄｌｅ状態へ遷移させてもよい。また、接続制御部２０３は、ＬＴＥ通信機能を完全に停止することにより、デジタルカメラ３０１の状態を、ＬＴＥ  ＵＥとしての状態を持たない状態へ遷移させてもよい。
【００２４】
なお、制御部１０１が撮像データ転送の複数のアプリケーションを実行している場合等、データ転送制御部２０６が複数の種類の撮像データ転送処理を行っている場合は、Ｓ４０５において、全ての種類の撮像データ転送処理について確認処理が行われてもよい。この場合、続くＳ４０６において、全ての種類の撮像データ転送処理について、ＬＴＥ基地局３０２との通信の継続が選択されなかった場合に、接続制御部２０３がＬＴＥ基地局３０２との通信を停止して処理を終了し得る。
【００２５】
続いて、図７を参照して、本実施形態におけるＤＣ停止時の信号の流れを説明する。図７は、デジタルカメラ３０１とＬＴＥ基地局３０２との間で実施されるＤＣ停止時の処理動作のシーケンスを示す。なお、図７の説明においては、デジタルカメラ３０１による通信はセルラー網通信が必要であると予め定められていないことを前提とする。
【００２６】
デジタルカメラ３０１がＤＣ通信中にバッテリーの残量が所定の値より少なくなった場合等に図４にて説明したＤＣ停止処理が起動され、デジタルカメラ３０１は５Ｇ基地局３０３との通信を停止する（Ｆ７０１、Ｓ４０１）。５Ｇ基地局３０３との通信停止後、デジタルカメラ３０１はＬＴＥ基地局３０２へ５Ｇ基地局３０３との通信を停止した旨を通知するリンク障害情報（Ｌｉｎｋ  Ｆａｉｌｕｒｅ  Ｉｎｆｏｒｍａｔｉｏｎ）メッセージを送信する（Ｆ７０２、Ｓ４０２）。ＬＴＥ基地局３０２はリンク障害情報メッセージを受信すると、ＤＣ通信を停止する処理を実施し、基地局との接続設定更新を伝えるＲＲＣコネクション再構成（Ｒｅｃｏｎｆｉｇｕｒａｔｉｏｎ）メッセージをデジタルカメラ３０１へ送信する（Ｆ７０３）。デジタルカメラ３０１はＲＲＣコネクション再構成メッセージの応答として、ＲＲＣコネクション再構成完了（Ｃｏｍｐｌｅｔｅ）メッセージをＬＴＥ基地局３０２へ送信する（Ｆ７０４）。
【００２７】
デジタルカメラ３０１は、ＬＴＥ基地局３０２との通信維持が必要でないと判定した場合（Ｓ４０４でＮｏ）、ユーザに対して撮像データ転送の継続可否を確認する（Ｆ７０５、Ｓ４０５）。ユーザより撮像テータの転送を継続しないことが選択された場合（Ｆ７０６、Ｓ４０６でＮｏ）、デジタルカメラ３０１はＬＴＥ基地局３０２との通信を停止する（Ｆ７０７、Ｓ４０７）。
【００２８】
以上のように、本実施形態によれば、ＤＣ通信を停止した場合に、ユーザの選択により、デジタルカメラ３０１がＬＴＥ基地局３０２（ＭＮ）との通信を維持するか否かが決定される。これにより、低スループットでの通信がユーザの希望にそぐわない場合は、ユーザの判断によりＬＴＥ基地局３０２の通信を切断することが可能となり、結果として、ユーザの利便性が向上する。
【００２９】
［第２の実施形態］
上記第１の実施形態においては、デジタルカメラ３０１がＬＴＥ基地局３０２との通信維持判定処理を実施した後に、ユーザがＬＴＥ基地局３０２との通信を継続するかを確認する方法を説明した。以下では第２の実施形態として、ユーザがＬＴＥ基地局３０２との通信を維持するかを確認した後に、デジタルカメラ３０１がＬＴＥ基地局３０２および５Ｇ基地局３０３との通信維持を判定する方法について開示する。なお、以下では、第１の実施形態と異なる点について説明する。
【００３０】
（処理の流れ）
図８を参照して、本実施形態におけるデジタルカメラ３０１の動作について説明する。図８は、本実施形態におけるＤＣ停止時の処理のフローチャートである。図８に示す処理は、デジタルカメラ３０１がＤＣ通信を実行して撮像データを転送している場合に、制御部１０１がＤＣ通信を停止すると決定したことを受けて開始され得る。当該ＤＣ通信停止の決定は、例えば、ＤＣ通信中に、制御部１０１がデジタルカメラ３０１のバッテリーの残量が所定の値より少なくなったことを検知したことを受けて行われ得る。また、制御部１０１が撮像データ転送のアプリケーションを実行している場合、実行中の当該アプリケーションのプログラムにおける適時のタイミングで、ＤＣ通信停止を決定してもよい。また、入力部１０７を介したユーザの指示により、制御部１０１はＤＣ通信停止を決定してもよい。
【００３１】
まず、Ｓ８０１において、表示制御部２０５が、表示部１０４に、撮像データ転送を継続するか否かを確認するための画面を表示し、ユーザに対して撮像データを継続するか否かを確認する。図９に、撮像データ転送を継続するか否かを確認するための画面の例を示す。図９では、「データ転送を終了しますか？」という文を含む画面を表示することにより、ユーザに対して撮像データの転送を継続するか否かが確認される。図９に示す画面において、入力部１０７を介してユーザにより「Ｙｅｓ」が選択された場合は、接続制御部２０３はＬＴＥ基地局３０２との通信を維持したまま、処理を終了する。一方、「Ｎｏ」が選択された場合は、データ転送制御部２０６は撮像データの転送を終了し、接続制御部２０３は５Ｇ基地局３０３（ＳＮ）との５Ｇ通信を停止する（Ｓ８０３）。
【００３２】
接続制御部２０３が５Ｇ基地局３０３との５Ｇ通信を停止後、送信部２０１は、ＬＴＥ基地局（ＭＮ）に対して５Ｇ基地局３０３との５Ｇ通信を停止した旨を通知する（Ｓ８０４）。続いてＳ８０５において、判定部２０４は、通信維持判定処理を実施し、ＬＴＥ基地局３０２との通信の維持が必要か否かを判定する。通信維持判定処理は、上記に説明した通りである。ただし、Ｓ８０３で撮像データの転送を終了しているため、判定部２０４は、例えば、制御部１０１がセルラー網通信を必要とするアプリケーション（サービス）を実行しているか否かに基づいて、ＬＴＥ基地局３０２との通信維持が必要か否かを判定し得る。ＬＴＥ基地局３０２との通信維持が必要と判定された場合（Ｓ８０６でＹｅｓ）、接続制御部２０３はＬＴＥ基地局３０２との通信を維持したまま、処理を終了する。一方、ＬＴＥ基地局３０２との通信維持が必要でないと判定された場合（Ｓ８０６でＮｏ）、接続制御部２０３はＬＴＥ基地局３０２とのＬＴＥ通信（ＭＮとの通信）を停止して（Ｓ８０７）、処理を終了する。
【００３３】
続いて、図１０を参照して、本実施形態におけるＤＣ停止時の信号の流れを説明する。図１０は、デジタルカメラ３０１とＬＴＥ基地局３０２との間で実施されるＤＣ停止時の処理動作のシーケンスを示す。なお、図１０の説明においては、デジタルカメラ３０１はセルラー網通信が必要であると予め定められていないことを前提とする。
【００３４】
デジタルカメラ３０１がＤＣ通信中にバッテリーの残量が所定の値より少なくなった場合等に図９にて説明したＤＣ停止処理が起動され、デジタルカメラ３０１はユーザに対して撮像データの転送を継続するかを確認する（Ｆ１００１、Ｓ８０１）。ユーザより撮像データの転送を継続しないことが選択された場合（Ｆ１００２、Ｓ８０２でＮｏ）、デジタルカメラ３０１は撮像データの転送を終了して５Ｇ基地局３０３との通信を停止する（Ｆ１００３、Ｓ８０３）。５Ｇ基地局３０３との通信停止後、デジタルカメラ３０１はＬＴＥ基地局３０２へ５Ｇ基地局３０３との通信を停止した旨を通知するリンク障害情報（Ｌｉｎｋ  Ｆａｉｌｕｒｅ  Ｉｎｆｏｒｍａｔｉｏｎ）メッセージを送信する（Ｆ１００４）。ＬＴＥ基地局３０２はリンク障害情報メッセージを受けると、ＤＣ通信を停止する処理を実施し、基地局との接続設定更新を伝えるＲＲＣコネクション再構成メッセージをデジタルカメラ３０１へ送信する（Ｆ１００５）。
【００３５】
デジタルカメラ３０１はＲＲＣコネクション再構成メッセージの応答として、ＲＲＣコネクション再構成完了（Ｃｏｍｐｌｅｔｅ）をＬＴＥ基地局３０２へ送信する（Ｆ１００６）。デジタルカメラ３０１はＬＴＥ基地局３０２との通信維持が必要でないと判定した場合（Ｓ８０６でＮｏ）、デジタルカメラ３０１はＬＴＥ基地局３０２との通信を停止する（Ｆ１００７、Ｓ８０７）。
【００３６】
以上のように、本実施形態によれば、デジタルカメラ３０１はデータ転送の継続可否を確認した後にＬＴＥ基地局３０２（ＭＮ）および５Ｇ基地局３０３（ＳＮ）との通信維持の可否を判定することができる。これにより、ユーザが電力消費よりもデータ転送のための通信を優先する場合には、５Ｇ基地局との通信を停止せずにデータ転送を継続することが可能になる。
【００３７】
なお、上記に説明した実施形態では、ＭＮがＬＴＥ基地局、ＳＮが５Ｇ基地局の場合について説明したが、これに限るものではない。ＭＮが５Ｇ基地局、ＳＮがＬＴＥ基地局であってもよい。その場合、本実施形態の５Ｇ基地局とＬＴＥ基地局をそれぞれ置き換えることで適用することができる。
【００３８】
また、上記に説明した実施形態では、デジタルカメラ３０１が撮像データをアップロードするケースを説明したが、デジタルカメラ３０１が撮像データをダウンロードするケールにおいても、上記の処理を適用可能である。ダウンロードするデータの量は、予めデジタルカメラ３０１に知られている等、予め決められていてもよい。この場合、上記実施形態における撮像データの転送を、撮像データのダウンロードに置き換えて、処理が行われることとなる。
【００３９】
また、上記に説明した実施形態では、５Ｇ基地局３０３（ＳＮ）との通信を停止する（ＤＣ通信を停止する）タイミングで、ユーザに対して、撮像データ転送を継続するか否かの確認が行われたが、当該確認のタイミングはこれに限定されない。例えば、ユーザが撮像データ転送を継続するか否かをデジタルカメラ３０１に事前に設定してもよい。また、上記に説明した実施形態では、当該確認は（図５、図６、または図９に示すような）画面を通じて行われたが、このような画面を用いずに任意の方法で行われてもよい。
【００４０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
３０１  デジタルカメラ、３０２  ＬＴＥ基地局、３０３  ５Ｇ基地局
【図１】
2020068464.tif 000003
【図２】
2020068464.tif 000004
【図３】
2020068464.tif 000005
【図４】
2020068464.tif 000006
【図５】
2020068464.tif 000007
【図６】
2020068464.tif 000008
【図７】
2020068464.tif 000009
【図８】
2020068464.tif 000010
【図９】
2020068464.tif 000011
【図１０】
2020068464.tif 000012